(57)【要約】【課題】物品を支持する支持具本体の高さを調整可能とする物品支持具を提供する。【解決手段】物品支持具２０は、物品を支持する支持具本体２１と、シンク１３に係止する係止部４４を有し、支持具本体２１をシンク１３に取り付ける取付部材２２と、支持具本体２１に対する係止部４４の高さを調整する調整手段とを備える。【選択図】図４
2019136436.tif 000002
【特許請求の範囲】
【請求項１】
物品を支持する支持具本体と、
シンクに係止する係止部を有し、前記支持具本体を前記シンクに取り付ける取付部材と、
前記支持具本体に対する前記係止部の高さを調整する調整手段とを備える、シンク用の物品支持具。
【請求項２】
前記調整手段が、前記取付部材に設けられた連結部と、前記支持具本体の上下方向の複数箇所に設けられかつ前記連結部が着脱可能に連結される被連結部とを含む、請求項１に記載のシンク用の物品支持具。
【請求項３】
前記連結部が、前記被連結部に引っ掛けて連結するフック部を含む、請求項２に記載のシンク用の物品支持具。
【請求項４】
前記支持具本体が、複数の線状部材を組み合わせて構成されており、前記被連結部が、一部の前記線状部材からなる、請求項１〜３のいずれか１項に記載のシンク用の物品支持具。
【請求項５】
前記支持具本体が、底部と、この底部から立ち上がる壁部とを有し、上方が開放した容器である、請求項１〜４のいずれか１項に記載のシンク用の物品支持具。
【請求項６】
シンクと、シンクに装着される請求項１〜５のいずれか１項に記載の物品支持具と、を備えている、シンクユニット。
【発明の詳細な説明】
【技術分野】
【０００１】
本発明は、シンク用の物品支持具及びこれを備えたシンクユニットに関する。
【背景技術】
【０００２】
下記特許文献１には、シンク内に水切りカゴ及び水切りプレートを備えたシンクユニットを有するシステムキッチンが記載されている。シンクには、その外周を取り囲むように段差部が形成され、この段差部の載置面上に、水切りカゴ及び水切りプレートの前後端が左右方向にスライド可能に載置されている。水切りプレートの前後端には、当該プレートを僅かに浮かせた状態で保持する脚部が設けられ、この脚部によって浮いたスペースに水切りカゴの前後端を挿入することによって水切りカゴと水切りプレートとが干渉しないように構成されている。これにより、特許文献１のシステムキッチンは、シンク内で、水切りプレートと水切りカゴとを上下方向に重ねた状態で使用することが可能である。
【先行技術文献】
【特許文献】
【０００３】
【特許文献１】特開２００８−１８８１９９号公報
【発明の概要】
【発明が解決しようとする課題】
【０００４】
しかしながら、水切りカゴの内部に収容した物品がシンクよりも上方に突出した場合、当該物品が邪魔になって水切りプレートのスライドが制限され、水切りカゴと水切りプレートとを上下方向に重ねて使用することができない場合がある。逆に、物品がシンクより上方へ突出しないように水切りカゴの高さを低くした場合、シンクの底から跳ね上がる水が物品にかかりやすくなるという弊害が生じる。
【０００５】
本発明は、使用状態等に応じて物品を支持する支持具本体の高さを調整可能とする物品支持具を提供することを目的とする。
【課題を解決するための手段】
【０００６】
（１）本発明のシンク用の物品支持具は、
物品を支持する支持具本体と、
シンクに係止する係止部を有し、前記支持具本体を前記シンクに取り付ける取付部材と、
前記支持具本体に対する前記係止部の高さを調整する調整手段とを備える。
【０００７】
本発明の物品支持具は、支持具本体に対する係止部の高さをより低くすることで、支持具本体をシンク内のより高い位置に配置し、支持具本体に対する係止部の高さをより高くすることで、支持具本体をシンク内のより低い位置に配置することができる。そのため、物品支持具の使用状態に応じて物品を適切な高さで支持することができる。
【０００８】
（２）好ましくは、前記調整手段が、前記取付部材に設けられた連結部と、前記支持具本体の上下方向の複数箇所に設けられかつ前記連結部が着脱可能に連結される被連結部とを含む。
このような構成によって、いずれかの被連結部を選択して連結部を連結させることで、支持具本体の高さを容易に調整することができる。
【０００９】
（３）好ましくは、前記連結部が、前記被連結部に引っ掛けて連結するフック部を含む。
このような構成によって、被連結部に対する連結部の着脱を容易に行うことができ、支持具本体に対する係止部の高さの調整を迅速に行うことができる。
【００１０】
（４）好ましくは、前記支持具本体が、複数の線状部材を組み合わせて構成されており、前記被連結部が、一部の前記線状部材からなる。
このような構成によって、支持具本体を構成する要素により被連結部を形成することがでいる。
【００１１】
（５）好ましくは、前記支持具本体が、底部と、この底部から立ち上がる壁部とを有し、上方が開放した容器である。
このような支持具本体に物品を収容した場合、当該支持具本体の上方開放部分から物品が突出する場合があるため、本発明がより有効となる。
【００１２】
（６）本発明のシンクユニットは、シンクと、シンク内に装着される上記（１）〜（５）のいずれか１つに記載の物品支持具と、を備えている。
【発明の効果】
【００１３】
本発明によれば、物品支持具における支持具本体の高さを調整することができる。
【図面の簡単な説明】
【００１４】
【図１】第１の実施形態に係る物品支持具を備えたシステムキッチンの一例を示す斜視図である。
【図２】第１の態様における物品支持具を示す斜視図である。
【図３】第２の態様における物品支持具を示す斜視図である。
【図４】（ａ）は、シンクに装着した第１の態様における物品支持具を示す側面図、（ｂ）は、シンクに装着した第２の態様における物品支持具を示す側面図である。
【図５】（ａ）は、第１の態様における支持具本体と取付部材との連結部分を拡大して示す断面図、（ｂ）は、第２の態様における支持具本体と取付部材との連結部分を拡大して示す断面図である。
【図６】（ａ）は、シンクに装着した第１の態様における物品支持具を示す正面図、（ｂ）は、シンクに装着した第２の態様における物品支持具を示す正面図である。
【図７】第２の実施形態に係る物品支持具をシンクに装着した状態を示す側面図である。
【図８】異なるタイプのシンクに物品支持具を装着した状態を示す概略的な平面図である。
【発明を実施するための形態】
【００１５】
以下、図面を参照して本発明の実施形態を説明する。
図１は、第１の実施形態に係る物品支持具を備えたシステムキッチンの一例を示す斜視図である。
システムキッチン１０は、キャビネット部１１と、このキャビネット部１１の上部に設けられた天板１２と、この天板１２に設けられたシンク１３と、シンク１３の後方において天板１２に設けられた水栓１４とを有している。図示はしていないが、システムキッチン１０は、天板１２に設けられたガスコンロやＩＨヒーターなどの加熱調理器を備えていてもよい。
【００１６】
天板１２には、開口１２ａが形成され、この開口１２ａにシンク１３が取り付けられている。また、シンク１３には、物品支持具２０、５０が装着されている。図１には、物品支持具２０、５０として、物品Ｔを収容することができる収容カゴ２０と、物品を載置するプレート５０とが例示されている。このうち、収容カゴ２０が、本発明における物品支持具を構成している。なお、本実施形態においては、シンク１３と、シンク１３に装着された物品支持具２０とによってシンクユニットが構成されている。
【００１７】
図２及び図３は、物品支持具を示す斜視図である。
物品支持具としての収容カゴ２０は、例えば食器洗い洗剤やスポンジを収容するために用いられる。また、収容カゴ２０は、洗浄した後の食器を収容する水切りカゴとして用いられるものであってもよい。本実施形態の収容カゴ２０は、図２に示す第１の態様と、図３に示す第２の態様とを取り得る。
【００１８】
収容カゴ２０は、カゴ本体（支持具本体）２１と、取付部材２２とを有する。
カゴ本体２１は、前後方向に長く左右方向に短い長方形状に形成された底部２１ａと、底部２１ａの外周から立ち上がる４つの壁部２１ｂ〜２１ｅとを有し、上方が開放した容器である。カゴ本体２１は、複数の金属製の線状部材（棒材）を組み合わせることによって構成されている。
【００１９】
カゴ本体２１の底部２１ａは、前後方向に延びる複数本の第１線状部材３１と、左右方向に延びる複数本の第２線状部材３２とを含む。前後の壁部２１ｂ，２１ｃは、上下方向に延びる複数本の第３線状部材３３と、左右方向に延びる複数本の第４線状部材３４とを含む。左右の壁部２１ｄ，２１ｅは、前後方向に延びる複数本の第５線状部材３５と、上下方向に延びる複数本の第６線状部材３６とを含む。
【００２０】
第３線状部材３３は、第１線状部材３１の前後端を上方へ折り曲げることによって当該第１線状部材３１と一体に形成されている。第６線状部材３６は、第２線状部材３２の左右端を上方へ折り曲げることによって当該第２線状部材３２と一体に形成されている。第４線状部材３４と、第５線状部材３５とは、一体に形成され平面視で長方形のリング形状を呈している。各線状部材３１〜３６は、互いに交差する部分において接合されている。
【００２１】
カゴ本体２１は、取付部材２２を連結させるための被連結部４１ａ，４１ｂと、取付部材２２の上下方向の移動をガイドするガイド部４２とを有している。この被連結部４１ａ，４１ｂは、前後の壁部２１ｂ，２１ｃのそれぞれに設けられ、左右方向に延びる上下２本の線状部材からなる。下側の被連結部４１ｂは、底部２１ａと前後の壁部２１ｂ，２１ｃとの境界であるコーナー部分に配置されている。上側の被連結部４１ａは、前後の壁部２１ｂ，２１ｃの上部側に配置されている。上下の被連結部４１ａ，４１ｂは、第１〜第６線状部材３１〜３６とともにカゴ本体２１を形成するための一構成要素となっている。ガイド部４２は、上側の被連結部４１ａに取り付けられたリング状の線状部材からなる。
【００２２】
図４は、シンクに装着した物品支持具を示す側面図である。
取付部材２２は、カゴ本体２１の前端部と後端部とに設けられている。取付部材２２は、シンク１３に係止する係止部４４と、カゴ本体２１に連結する連結部４５とを有する。
【００２３】
シンク１３は、外周端１３ａが最も高く水平に配置され、この外周端１３ａの内側に１段低くなる段差部１３ｂが形成され、この段差部１３ｂの上面１３ｂ１が水平に配置された載置面とされている。取付部材２２の係止部４４は、段差部１３ｂの載置面１３ｂ１に載置されることによってシンク１３に係止する。なお、図１に示すプレート５０は、シンク１３の外周端１３ａ上に左右方向にスライド可能に載置される。
【００２４】
図２及び図３に示すように、係止部４４は、平面視で線状部材をコの字状に屈曲することによって構成されている。具体的に、係止部４４は、前後方向に延びる左右一対の第７線状部材３７と、第７線状部材３７の一端部同士を接続する第８線状部材３８とを有している。
【００２５】
図５は、支持具本体と取付部材との連結部分を拡大して示す断面図である。
連結部４５は、２本の第７線状部材３７の他端から下方に延びる第９線状部材３９と、この第９線状部材３９の下端部を１８０°湾曲させることによって形成されたフック部４０とを有している。第９線状部材３９は、ガイド部４２のリング内に配置され、ガイド部４２によって上下方向に移動自在に支持される。また、取付部材２２は、ガイド部４２によってカゴ本体２１に接続される。フック部４０は、カゴ本体２１における上段側の被連結部４１ａと下段側の被連結部４１ｂとのいずれかに選択的に引っ掛けることによってカゴ本体２１に連結される。
【００２６】
具体的には、図５（ａ）は、連結部４５のフック部４０を下段側の被連結部４１ｂに連結した場合を示し、図５（ｂ）は、同フック部４０を上段側の被連結部４１ａに連結した場合を示す。図５（ａ）に示すように、取付部材２２の連結部４５のフック部４０を下段側の被連結部４１ｂに連結すると、カゴ本体２１に対する係止部４４の高さＬ１（図示例では底部２１ａに対する係止部４４の高さ）がより低くなる。この態様を第１の態様という。
【００２７】
これに対して、図５（ｂ）に示すように、取付部材２２の連結部４５のフック部４０を上段側の被連結部４１ａに連結すると、カゴ本体２１に対する係止部４４の高さＬ２がより高くなる。この態様を第２の態様という。
【００２８】
したがって、第１の態様と第２の態様とを切り換えることによってカゴ本体２１に対する係止部４４の高さＬ１，Ｌ２を調整することができる。ここにおいて、取付部材２２の連結部４５と、この連結部４５に連結される複数の被連結部４１ａ，４１ｂとは、カゴ本体２１に対する係止部４４の高さを調整する調整手段を構成している。
【００２９】
そして、図４に示すように、第１の態様とした場合、収容カゴ２０のカゴ本体２１は、シンク１３内でより高位置に配置され、第２の態様とした場合、カゴ本体２１は、シンク１３内でより低位置に配置される。
【００３０】
図６（ａ）は、シンクに装着した第１の態様における物品支持具を示す正面側から見た断面図、図６（ｂ）は、シンクに装着した第２の態様における物品支持具を示す正面側から見た断面図である。
図６（ａ）に示すように、第１の態様における収容カゴ２０に物品Ｔを収容した場合、当該物品Ｔをより高い位置で支持することができる。物品Ｔが、ポンプタイプの洗剤容器である場合、洗剤の吐出口Ｔａをシンク１３よりも高位置に配置することができ、吐出口Ｔａを押し下げることによって容易に洗剤を出すことが可能となる。また、物品Ｔをより高い位置で支持することができるので、シンク１３の底部で飛び跳ねた水が物品Ｔにかかりにくくすることができるという利点もある。
【００３１】
しかしながら、物品Ｔがシンク１３よりも上方に突出するので、シンク１３に装着されたプレート５０を左右方向にスライドさせた場合に、物品Ｔが邪魔となり、プレート５０のスライド範囲が制限され、例えば、収容カゴ２０の上方にプレート５０を重ねた状態で使用することができなくなる。
【００３２】
一方、図６（ｂ）に示すように、第２の態様における収容カゴ２０に物品Ｔを収容した場合、当該物品Ｔをより低い位置で支持することができる。そのため、物品Ｔを、シンク１３の外周端１３ａよりも低くすることができ、物品Ｔがプレート５０の左右方向のスライドの障害にならない。そのため、収容カゴ２０とプレート５０とを上下方向に重ねた状態で使用することが可能となる。また、シンク１３がオープンキッチンで用いられる場合、ダイニング側から物品Ｔが見えなくなるので、シンク部分がスッキリとし、見た目を向上させることができる。
【００３３】
以上のように収容カゴ２０は、取付部材２２の連結部４５を、カゴ本体２１の２つの被連結部４１ａ，４１ｂのいずれかを選択して連結させることによって、シンク１３内におけるカゴ本体２１の高さを変更することができ、収容する物品の種類や、他の物品支持具であるプレート５０との関係等、使用状態に応じて第１の態様と第２の態様とを使い分けることができる。
【００３４】
図７は、第２の実施形態に係る物品支持具をシンクに装着した状態を示す側面図である。
本実施形態の物品支持具２０は、カゴ本体２１と、１つの取付部材２２とを備えている。取付部材２２は、シンク１３の載置面１３ｂ１に設けられたピン１３ｄに第８線状部材３８を係止させることによって、カゴ本体２１を片持ち状に保持する。本実施形態においても、上記第１の実施形態と同様の作用効果を奏する。なお、ピンは、シンク１３の内壁面に設けられていてもよく、このピンに対して取付部材２２の係止部を引っ掛けることによって取付部材２２を吊した状態で係止させてもよい。
【００３５】
図８は、異なるタイプのシンクに物品支持具を装着する例を示す概略的な平面図である。図１に示した実施形態では、平面視長方形状のシンク１３の前後端に跨るように物品支持具２０を装着する例を示したが、シンク１３の形態に応じて物品支持具２０の装着態様を変更することができる。例えば、図８（ａ）に示すように、シンク１３の後端中央に後方へ凹む凹部１３ｃが形成されている場合、この凹部１３ｃに物品支持具２０を装着することができる。同様に、図８（ｂ）に示すように、シンク１３の後端の左右一方側に凹部１３ｃが形成される場合、図８（ｃ）に示すように、シンク１３の後端の左右両側に凹部１３ｃが形成される場合も、それぞれ当該凹部１３ｃに物品支持具２０を装着することができる。なお、図８に示すタイプのシンク１３に対しては、第１の実施形態及び第２の実施形態のいずれの方式を用いて物品支持具２０を装着してもよい。
【００３６】
本発明は、上記実施形態に限定されるものではなく、特許請求の範囲に記載された発明の範囲内において適宜変更することが可能である。
例えば、物品支持具は、収容カゴの形態に限らず、プレートの形態であってもよい。また、収容カゴは、複数の線状部材を組み合わせて形成されたものに限らず、板状部材で形成されたものであってもよいし、線状部材と板状部材とを組み合わせて形成されたものであってもよい。また、物品支持具は、金属製に限らず合成樹脂製であってもよく、金属製の部材と合成樹脂製の部材とを組み合わせて形成されたものであってもよい。
【００３７】
被連結部は、支持具本体の上下２箇所に設けられるに限らず、３箇所以上に設けられていてもよい。
取付部材は、支持具本体から取り外し可能に構成されていてもよい。この場合、取付部材として、係止部とフック部との上下方向の距離が異なる複数種類のものを備えておき、いずれかの取付部材を選択して使用することで、支持具本体の高さを変更することができる。
【符号の説明】
【００３８】
１３      ：シンク
２０      ：物品支持具
２１      ：カゴ本体（支持具本体）
２１ａ    ：底部
２１ｂ    ：壁部
２１ｃ    ：壁部
２１ｄ    ：壁部
２１ｅ    ：壁部
２２      ：取付部材
３１      ：第１線状部材
３２      ：第２線状部材
３３      ：第３線状部材
３４      ：第４線状部材
３５      ：第５線状部材
３６      ：第６線状部材
４０      ：フック部
４１ａ    ：被連結部
４１ｂ    ：被連結部
４４      ：係止部
４５      ：連結部
【図１】
2019136436.tif 000003
【図２】
2019136436.tif 000004
【図３】
2019136436.tif 000005
【図４】
2019136436.tif 000006
【図５】
2019136436.tif 000007
【図６】
2019136436.tif 000008
【図７】
2019136436.tif 000009
【図８】
2019136436.tif 000010